(57)【要約】      （修正有）【課題】狭い台所での小さめなシンク空間のシステムキッチンにおいて、そのシンク空間を利用し、流し台のシンクとまな板設置作業台の一体化を図り、まな板の使用及び使用前後のまな板洗浄時の持ち運び、まな板の水切り、まな板の収納作業を簡単にできる設置作業台を実現する。【解決手段】幾種類かのサイズのまな板３を設置出来るまな板固定材スライド装置を備え、安定した作業台とするための作業台脚８５の設置機能、起立収納時の自然排水を考慮したまな板との密着防止突起８４、排水斜面４を備え、流し台シンクと一体化となったまな板設置作業台８０を提供し、更にまな板設置作業台を安全に使いやすくするための転倒制御装置、作業台転倒防止装置、まな板設置作業台のスライド装置を備えて更なる労力の低減と使い易さを達成する。【選択図】図２
2012232081.tif 000002
【特許請求の範囲】
【請求項１】
本発明は、流し台のシンク空間を利用し、シンク内にまな板を設置するするためのまな板設置作業台で、まな板が密着しないように突起を備え、まな板設置作業台内に収納した作業台脚の出し入れが行える機能及びまな板固定スライド材により幾種類かのサイズのまな板を固定出来る構造を備えていることを特徴としたまな板設置作業台である。
【請求項２】
まな板設置作業台を設置するとき及び起立時の回転力で、作業台脚が同時に出し入れ出来る構造を備えた請求項１記載のまな板設置作業台である。
【請求項３】
まな板設置作業台をスライド移動することが出来る構造を備えていることを特徴とした請求項１記載にのまな板設置作業台である。
【請求項４】
急激な転倒を防止するための転例制御装置と作業台回転部の転倒、起立する構造を備えている請求項１記載のまな板設置作業台である。
【請求項５】
不慮の転倒を防止するための転倒防止装置を備えた請求項１記載のまな板設置作業台である。
【請求項６】
請求項４記載の転倒、起立する構造を備えている機器の設置及び排水のための任意の角度αの排水斜面を備える流し台シンク構造と一体となっていることを特徴とした請求項１記載のまな板設置作業台である。
【発明の詳細な説明】
【技術分野】
【０００１】  本発明は、流し台のシンク空間を利用し、シンク内に取り付けた作業台転倒装置により、シンク内に簡単に作業台を設置、収納する事が出来る作業台の設置、収納が出来るまな板設置作業台に関するものである。
【背景技術】
【０００２】  従来の流し台空間は、左右にスライドが出来るまな板の装置やスライド形式でのまな板収納及び水切りを行う水切り板でのまな板起倒装置により労力の軽減と使い易さに努めてきた。しかし、狭い台所では、シンク空間が小さいシステムキッチンが多いことから比較的大きめとなるまな板の使用になる左右スライド装置形式だけでは全てのシステムキッチンに対応しきれていない現実がある。また、市販されている通常サイズのまな板の使用に際しても問題がある。
【先行技術文献】
【特許文献】
【０００３】
【特許文献１】特願平６−５０１８２
【特許文献２】特願平１０−１５６６１４
【発明の概要】
【発明が解決しようとしている課題】
【０００４】  従来のまな板の使用状況は、スライド形式によるまな板の使用、まな板起倒装置による水切り、収納の他、色々の手段により労力の軽減を図って来た。しかし、使用時、使用後による水切り、収納方法について、アパート等での狭い流し台の場合、比較的大きめとなるスライド形式のまな板の使用及びスライド形式が無い場合のまな板洗浄時の持ち運びや水切り場所、収納スペースの確保など使い易さにまだ問題が残っている。また、スライド形式では、市販されている幾種類かのサイズのまな板では補助具の利用等、使用時に際する問題もある。
【０００５】  本発明は、アパート等の狭い台所での小さめなシンク空間のシステムキッチンにおいて、そのシンク空間を利用し、流し台のシンクと本発明のまな板設置作業台の一体化を図り、シンク空間にあった利用方法でまな板の使用及び使用前後のまな板洗浄時の持ち運び、まな板の水切り、まな板の収納作業を簡単にできるまな板を設置する作業台の実現を目的とするもの他、市販されている幾種類かのサイズのまな板の使用が可能となるまな板設置作業台を提供するものである。
【課題を解決するための手段】
【０００６】本発明は、前記目的を達成するために、シンク本体部に本発明のまな板設置作業台を設置するため、及び起立時のまな板設置作業台とまな板からの排水を処理するため任意の角度αの排水斜面を備えたシンク構造とした。
【０００７】  起立収納状態からまな板使用時の為のまな板設置作業台の設置手段として、まな板設置作業台をシンク内空間に設置するための作業台転倒装置を備えた構造とした。
【０００８】  まな板洗浄及び使用時の利便性を向上させるために、まな板設置作業台をシンク内空間で前後に移動させるスライド装置を備えた構造とした。
【０００９】  まな板設置作業台をシンク内に設置することに伴い、安定したまな板設置作業台とするために作業台脚を設置する構造とし、作業台脚の設置のために作業台転倒装置と連動した作業台脚出し入れ装置を備えた構造とした。
【００１０】  まな板設置作業台は、まな板を設置するため、市販されている幾種類かのサイズのまな板の使用を可能とするためのスライド式のまな板固定材を備えてる他、まな板が作業台に密着しないための突起を備え、内部にまな板固定用のスライド装置、作業台設置に伴う作業台脚及び作業台の設置、起立の回転と連動した作業台脚出し入れ装置を収納したまな板設置作業台からなる構造とした。
【００１１】
【発明の実施する最良の形態】
【００１２】  以下、この発明のいくつかの装置例、形態例、構造例、作動例、配置例を図面に基づき説明していく。
【００１３】  まな板設置作業台は、図２、図５に示す様にまな板使用時の使いやすさを確保するため、流し台面１にまな板を置いた様な高さを確保するため、まな板設置作業台の高さを考慮し、作業台転倒装置を出来るだけ流し台面より低く設置することが出来る様、また、図２８に示す様にまな板設置作業台収納時における起立状態でのまな板設置作業台とまな板の水切りをシンク内でおこなうことを目的に任意のシンク水切り角度α２９を持つ排水斜面４を備えた流し台シンクとする構造とする。
【００１４】  作業台転倒装置は、図４，図５，図６、図７に示す様にまな板設置作業台をシンク内空間に設置及び起立状態で収納を行うための作業台回転部と図６、図１４から図１７に示す様な転倒防止装置と図６，図１２、図１３に示す転倒速度抑止装置を備えた作業台転倒装置とする。
【００１５】  作業台回転部は、図４、図５、図６、図７に示す様に作業台回転軸１０、１０Ａ、作業台回転防止軸１０Ｂ、作業台スライド管５０、作業台回転軸固定台Ａ２０、作業台中央固定台２７Ａ、２７Ｂ、作業台回転軸固定台Ｂ２１から構成する。
【００１６】  作業台回転軸１０は、図６，図７に示すように転倒制御ツマミ３０と連動する作業台回転軸１０と作業台の片方の作業台スライド管５０と連動する必要があるため、作業台回転軸固定台Ａ２０と作業台中央固定台２７Ａとの間にあり、図７に示すようにスライド突起軸１２を備え、内部で転倒制御ツマミ３０の作動を行うため、内部が空間となっている構造とする。
【００１７】  作業台回転軸１０Ａは、図６，図７に示すように転倒防止装置ツマミ４０と作業台のもう片方の作業台スライド管５０と連動する必要があるため、作業台中央固定台２７Ｂと作業台回転軸固定台Ｂ２１との間にあり、図７に示すようにスライド防止突起１２Ａを備え、内部で転倒防止ツマミ４０の作動を行うため、内部が空間となっている。また図１５、図１６に示す様に作業台回転防止軸１０Ｂと連結する連結部は凹ネジ構造と連結後のネジの回転防止として図１５一体化ボルト構造図に示すように一体化ボルト１６を挿入出来る構造とする。
【００１８】  作業台回転軸１０Ｂは、転倒防止ツマミ４０と連動する部分となるため、図１３作業台回転軸固定台Ｂ図に示す様に作業台回転軸固定台Ｂ２１の各溝の各形状と図１５に示す作業台回転防止軸１０Ｂに備えた各溝とが相似形状を呈した転倒防止突起溝Ａ２４Ａ、転倒溝Ａ２５Ａを備えている。また、図１５に示す様に作業台回転軸１０Ａと連結する必要があるため、連結部は凸ネジ構造で一体化ボルト孔を備えたネジ抜け防止構造とする。
【００１９】  作業台スライド管５０は、図６，図７，図８、図９に示す様に作業台回転軸１０、作業台回転軸１０Ａに各々ついているスライド回転突起軸１２，１２Ａを包み込むように作業台スライド管５０を配置した構造で作業台回転軸１０、作業台回転軸１０Ａと一体となった作業台回転防止軸１０Ｂ及び作業台スライド管５０が作業台回転固定台Ａ２０、各作業台中央固定台２７Ａ，２７Ｂの回転用突起軸を軸に回転する。また、図７に示す作業台回転防止軸１０Ｂが図１３に示す作業台回転固定台２１Ｂの転倒防止軸孔２６に挿入されることで作業台回転防止軸１０Ｂが回転する。この前述した一連の回転作動させる機器を備えた構造を作業台回転部とする。
【００２０】  作業台転倒防止装置は、図６、図１４，図１６，図１７に示すように転倒防止ツマミ４０、転倒防止ツマミ４０と一体となっている転倒防止軸４１，転倒防止突起４２、図１３に示す作業台回転軸固定台Ｂ２１及び作業台回転軸である作業台回転防止軸１０Ｂで構成とする。
【００２１】  作業台回転固定台Ｂ２１の構造は、図１３に示す様に作業台回転防止軸１０Ｂを挿入設置する転倒防止軸孔２６、転倒防止するための転倒防止突起溝２４と作業台回転防止軸１０Ｂの回転溝Ａ２５Ａと相似形状を持った回転溝２５を備えた構造とする。
【００２２】  図１５に示す様に作業台回転防止軸１０Ｂの端部は、図１３に示すように作業台回転軸固定台Ｂ２１と同じ相似形状の溝を有していることから作用台回転軸固定台Ｂ２１の転倒防止突起溝２４、転倒溝２５と作業台回転防止軸１０Ｂの転倒防止突起溝Ａ２４Ａ、転倒溝Ａ２５Ａは起立時と作業台設置時で重なる様にする構造としている。重なるような構造とは、作業台回転軸１０Ａにスライド回転突起軸１２Ａを付け、作業台回転防止軸１０Ｂがまな板設置作業台８０と同じく回転する様にし、起立時と作業台設置時に作業台回転軸固定台Ｂ２１の各溝と重なる様に回転する構造としているからである。
【００２３】  まな板設置作業台８０を転倒させる場合は、図１７転倒防止装置例作動形態断面図に示す様に転倒防止作動時から転倒防止ツマミ４０を引き転倒防止ツマミ４０と一体となっている転倒防止突起４２を作業台回転軸固定台Ｂ２１の転倒溝２５に回転誘導し、転倒防止装置ツマミ４０を放すとバネ４４の力により転倒防止突起４２は作業台回転軸固定台Ｂ２１の転倒溝２５と作業台回転防止軸１０Ｂの転倒溝Ａ２５Ａにはまり転倒溝内で回転することが可能となり、まな板設置作業台を転倒させることが出来る構造としている。
【００２４】  転倒防止ツマミ４０を放すと戻る理由は、図１７に示す様に転倒防止ツマミ４０と一体となっている転倒防止軸４１は、転倒防止ツマミ４０を引いたときに転倒防止軸圧縮板４３に作用し、バネ４４の弾性力により、転倒防止ツマミ４０を引き戻す力となり、転倒防止装置ツマミ４０を放した時に各溝にはまる構造とした。
【００２５】  まな板設置作業台８０を起立収納位置に固定させる場合は、図１７に示す手順の逆の操作で、まな板設置作業台８０を起立状態で止め、転倒防止ツマミ４０を引き転倒防止突起４２を作業台回転軸固定台Ｂ２１の転倒防止突起溝２４に回転誘導し、転倒防止ツマミ４０を放すことでバネ４４の力により転倒防止突起４２は作業台回転軸固定台Ｂ２１の転倒防止突起溝２４と図１５に示す作業台回転防止軸１０Ｂの転倒防止突起溝Ａ２４Ａにはまり、転倒防止突起４２が作業台回転軸固定台Ｂ２１の転倒防止突起溝２４に固定されることにより転倒出来なくなり、転倒防止の役割となる。この転倒防止の一連の作動させる機器を備えた構造を作業台転倒防止装置とする。
【００２６】  まな板設置作業台８０の急激な転倒を防止するため、図６、図１２に示す様な転倒速度抑止装置を備えた構造とした。
【００２７】  転倒速度抑止装置は、図１２に示すように転倒制御ツマミ３０、転倒制御作動軸３１，転倒制御軸と一体となった転倒制御作動軸回転防止突起３２，転倒制御摩擦帯圧縮板３３、転倒制御摩擦帯固定板３４、転倒制御摩擦帯（弾性材）３５と図１３に示す作業台回転軸固定台Ａ２０で構成されている。
【００２８】  作業台回転軸固定台Ａ２０の構造は、図１２に示す様に転倒制御作動軸３１を図１３に示す作業台回転軸固定台Ａ２０の転倒制御作動軸孔２２に挿入設置し、転倒制御ツマミ３０を転倒制御作動軸３１と連結のため回転させても転倒制御作動軸３１が転倒制御ツマミ３０と一緒に回転しない様に転倒制御作動軸回転防止突起溝２３と転倒制御作動軸孔２２を備えた構造とした。また、図６、図７に示す様に作業台回転軸１０を回転させるための回転用突起軸２８も備えた構造とする。
【００２９】  転倒速度抑止装置の作動形態は、図１２の作動図１，作動図２に示す様に転倒制御ツマミ３０を回転することにより圧縮可能区間が小となり転倒制御摩擦帯固定板３４が転倒制御摩擦帯（弾性材）３５に収縮膨張の力を与えることにより作業台回転軸１０の内部から摩擦力調整を行うことで回転防止抑制をかける構造とし、この転倒を抑止する一連の作動を行う機器を備えた構造を転倒速度抑止装置とする。
【００３０】  作業台転倒装置は、前述した作業台回転部、作業台転倒防止装置、転倒速度抑止装置を備えた各構造から構成されたものを作業台転倒装置とする。
【００３１】  まな板設置作業台のスライド装置は、図６，図８，図９、図１０に示す様な作業台回転軸１０、作業台回転軸１０Ａ、作業台スライド管５０、スライドアーチ５１，スライド回転ツマミ５２、スライド歯車軸１３から構成している。
【００３２】  作業台スライド管５０は、図６，図７，図８、図９に示す様に作業台回転軸１０、作業台回転軸１０Ａに各々ついているスライド回転突起軸１２，１２Ａを包み込むように作業台スライド管５０を配置した、図８の図４Ｂ−Ｂ断面図、図９に示すように作業台スライド管５０には、スライド溝１４を備えていることから図６に示すスライドスペース間で移動できる構造とする。また、このスライドスペース間を移動させる手段として、図１０に示す様にスライドアーチ５１にスライド回転ツマミ５２を取り付けた構造とする。
【００３３】  図１０に示す様にスライド回転ツマミ５２は、図１０の５スライド回転ツマミ拡大図に示す様に一体となったスライド回転ツマミ歯車５３を備えていることからスライド回転ツマミ５２を回転させるとスライド回転ツマミ歯車５３も回転し、その力は連動するように取り付けられた図１０の４スライド歯車軸からスライド回転ツマミの作動拡大図、５スライド回転ツマミ拡大図に示すスライド歯車５４にも伝達される。さらにスライド歯車５４に伝達された回転力は、固定されたスライド軸１３に伝達される構造とする。
【００３４】  スライド歯車軸１３は、図６に示す様に固定軸１５にあり、作業台中央固定台２７Ａと作業台中央固定台２７Ｂ間に設置された移動、回転しない構造であり、図１０の２スライドアーチ作動形態図に示すスライド歯車５４から受ける回転力を逆に伝達するための歯車用の溝を備えている。また、まな板設置作業台８０の起立時と設置時の回転時にも対応できるように歯車用の溝は、円周方向にある構造とし、回転時には、その溝に沿ってスライド歯車５４が移動回転出来る構造とする。
【００３５】  図１０の２スライドアーチ作動形態図に示す様に固定されているスライド歯車軸１３に伝わった回転力は、固定されたスライド歯車軸１３の反力によりスライド歯車５４から、スライド回転ツマミ歯車５３に伝達され、一体と成っているスライド回転ツマミ５２を固定しているスライドアーチ５１に伝達、最終的にスライドアーチと一体となっている作業台スライド管５０に伝達され、作業台スライド管５０と一体となっているまな板設置作業台８０を移動させることとなる。つまり、スライドアーチ５１に設置された回転つまみを回すことで固定されているスライド歯車軸１３に力が伝達されるがスライド歯車軸１３は固定されていることにより反力が生じ、最終的に作業台スライド管５０に反力が伝達されて図６に示す作業台スライド管５０内のスライドスペースの間で作業台スライド管５０が移動できることによりまな板設置作業台８０も前後に移動することとなる。この一連のスライド作動をさせる機器を備えた構造をスライド装置とする。
【００３６】  作業台脚の出し入れ装置は、まな板設置作業台８０の起立、設置時の回転力を利用し、作業台脚８６をまな板設置作業台８０から出し入れする装置で、主に作業台脚作動歯車部１１，まな板設置作業台内部に備えられた図１８に示すような回転力伝達装置６１、図２３、図２４、図２５に示す様な作業台脚出し入れ装置及び作業台脚８６からなる構造とする。
【００３７】  作業台脚作動歯車部１１は、スライド歯車軸１３と同様、作業台中央固定台２７Ａと作業台中央固定台２７Ｂ間に設置された移動、回転しない構造で図８の図４Ｃ−Ｃ断面図に示す回転受歯車６５が接する部分の形状は円形で円周表面が歯車形状を成した構造とする。
【００３８】  図１８に示す回転力伝達装置６１は、まな板設置作業台８０の起立、設置時の回転力を固定された作業台脚歯車部１１の歯車形状部を通して回転受歯車６５が回転力を受ける装置である。
【００３９】  起立、設置時の回転力は、回転受歯車６５に伝達され図１８に示す様に回転受歯車６５と一体となった伝達回転軸６４を通して作業台脚出しドラム６６、作業台脚入りドラム６７が回転することとなる。作業台脚出し入れドラム６６，６７に取り付けた作業台脚出し入れワイヤー７２，７３は各ドラムの直径を同じにしているため、円周長も等しいことから回転による巻き込み或いは、巻きだし長が等しくなることから図２４，図２５に示す様に作業台脚出しドラム６６から作業台脚入れドラム６７間のまな板設置作業台内部のワイヤー長は変化しない構造とした。
【００４０】  図１１、図１８に示すように回転受歯車部６５は、まな板設置作業台８０のスライドに伴い、まな板設置作業台８０に収納されている回転力伝達装置６１の作業台脚出しドラム６６が作業台脚作動歯車部１１に衝突しないように回転受歯車部６５と作業台脚出しドラム６６の間隔をスライドスペース以上の距離を持った構造としている。この回転受歯車部６５から一体となって作動する伝達回転軸６４、作業台脚出しドラム６６、作業台脚入りドラム６７及び軸受Ａ６２、軸受Ｂ６３により一連で作動する機器を備えた構造を回転力伝達装置６１とした。
【００４１】  作業台脚出し入れ装置は、図２４、図２５に示す様に作業台脚出し入れワイヤー７２，７３は、回転力伝達装置６１からの急激な回転力に伴う引っ張り力によるワイヤーの切断及び温度差による膨張収縮のためのワイヤーの弛みを防止するために緩衝バネ（弾性帯）Ａ７８，Ｂ７９を中間に備えた構造とし、作業台脚出し入れドラム６６，６７の回転巻き込みに伴う引っ張り力を受けたワイヤーの力を作業台脚出し支持ローラー７０、或いは、作業台脚入り支持ローラー７１を通して各ワイヤー滑車９５〜１０１を経由して着実に図２２Ｖ−Ｖ断面図及び図２３の脚出し入れ移動軸ワイヤー９４接続部構造拡大図に示す脚出し入れ移動軸９４に伝達する構造とする。
【００４２】  作業台脚出し入れ形態は、図２３の２作業台脚作動形態図に示す様に作業台脚の支点軸である脚回転軸９１は、脚出し入れ軸９４に各ワイヤーからの引っ張り力が作用した場合に確実に脚回転軸９１を中心に作動するように脚出し入れ軸９４は脚回転軸９１より脚が出る側に来るように設置する構造とする。
【００４３】  まな板設置作業台８０を設置する場合は、図１８の脚出し入れワイヤーの巻き取り方向図に示す様に作業台脚出しドラム６６が作業台脚出しワイヤー７２を巻き取る方向に回転し、作業台脚出しワイヤー７２に引っ張り力が作用する。このため、図２３，図２４に示す各ワイヤーに連結している脚出し入れ移動軸９４が脚回転軸９１方向に引かれ移動しようとする力が生ずる。この力が作業台脚出し入れ回転軸９２に作用し、作業台脚８６は、脚回転軸９１を支点として押し出され回転し、図２０に示す様にまな板設置作業台８０がほぼ水平の状態に成った時に作業台脚８６はシンク底版にほぼ垂直に設置される状態にする構造とした。この時、図１８の作業台脚出し入れワイヤーの巻き取り方向図に示す様に作業台脚入れワイヤー７３は、作業台脚出しワイヤー７２が巻き取られるのに反して巻き出されるため、各ワイヤーが同じ脚出し入れ移動軸９４に連結されていても支障なく脚出し入れ移動軸９４は脚回転軸９１方向に移動できる。また、シンク底面に接する作業台脚８６の下部には、作業台脚緩衝材（弾性素材）８７を備えシンク底面を傷つけない構造とする。
【００４４】  図２８に示す様にまな板設置作業台８０を収納起立状態にした時は、設置する場合と逆の作動形態となり、回転受歯車６５からの回転力は、作業台脚入れドラム６７が作業台脚入れワイヤー７３を巻き込み、脚入りワイヤー７３に生じた引っ張り力で脚出し入れ移動軸９４を脚回転軸９１に遠ざける方向に引き、作業台脚８６は、まな板設置作業台８０に収納される構造とした。この時、起立時のまな板設置作業台の裏面（作業台脚収納面側）は、出来るだけフラット面とするため、収納される作業台脚を周囲の面と同じ高さの面になるようにするため、図２２Ｖ−Ｖ断面図に示す脚入れ防止材（弾性材）８６Ａをまな板設置作業台内部に設置し、まな板設置作業台内部に入り過ぎないようにし、裏面がフラット面に近くなるような構造とした。
【００４５】  脚出し入れ収納部の構造は、図２１作業台下面例図の断面図である図２２の各断面図に示す構造とし、特に作業台脚の出し入れに重要な部分である脚出し入れ移動軸９４は、各ワイヤーからの力が作用し易いようにまな板設置作業台に固定した脚出し入れガイドレール９３を備え脚出し入れ軸９４と脚出し入れガイドレール９３と接する部分には脚出し入れ移動ローラー９５を備えた構造とした。この作業台脚の出し入れの作動にに関する各ワイヤーからの一連の機器を備えた構造を作業台脚出し入れ装置とした。
【００４６】  まな板設置作業台８０は、図２、図３に示す様に作業台転倒装置と連結するためのまな板設置作業台と作業台スライド管連結材８１を備え、まな板設置側（上面）に自然に水切れし易くするためのまな板密着防止突起８４を設け、まな板と作業台が密着しないような構造とる。内部に図１８に示す回転力伝達装置６１、図２４，図２５に示す様な作業台脚出し入れ装置、作業台脚８６を備え、使用時には、作業台脚８６を設置し、安定した作業ができる様な構造としている。また、収納時の起立状態の時は、まな板設置作業台８０内に作業台脚８６を収納できる構造とした他、内部に図２７に示すまな設置スライド装置を内蔵し、市販されている幾種類かのまな板が設置使用できる構造とする。
【００４７】  まな板固定材スライド装置は、図２７に示す様にまな板固定材８２と一体となっているまな板固定スライド材８８、８８Ａ、まな板固定支持金具８８Ｂ、スライド材固定ネジ８８Ｃ、スライド材固定ネジ孔８８Ｄ、スライド調節用歯車８９を備えた構造とした。
【００４８】まな板の設置は、図２７に示す様に幾種類かのサイズに応じてまな板固定スライド材８８、８８Ａをスライドしてまな板固定材８２にまな板がはまるように設置する。この時左右のまな板固定材８２は、スライド調節用歯車８９の働きにより左右の移動量が同じになり、まな板設置作業台の中心から左右対称にまな板が設置できる様にするスライド調節用歯車８９を備えた構造とした。また、まな板固定材８２の設置位置が決定したらスライドが動かないようにスライド材固定ネジ８８Ｃとスライド材固定ネジ孔８８Ｄでまな板固定スライド材８８、８８Ａを固定する構造とした。このまな板設置に伴う一連の作動スライド設置機器を備えた構造をまな板固定材スライド装置とした。
【００４９】  図２６に示す様に設置されたまな板３にまな板設置作業台８０と作業台スライド装置連結材８１にあけてあるまな板固定ピン孔８３Ｂとまな板固定材８２に備えてあるまな板固定ピン溝８３Ａからまな板固定ピン８３を差し込み或いは打ち込んで作業台が起立状態時の離脱を防止する構造とした他。図２，図２０に示す様にスライド形式でまな板３の取り外しが自由にできる構造とした。
【発明の効果】
【００５０】  図２８に示す様に既成シンク部に設置するための補助具と組み合わせる事でアパート等の狭い台所での小さめなシンク空間のシステムキッチンにおいてもそのシンク空間を有効利用し、シンク空間にあった利用方法でまな板の使用及び使用前後のまな板洗浄時の持ち運び、まな板の水切り、まな板の収納作業の更なるまな板使用時の労力低減を計れると共に市販されている幾種類かのサイズのまな板の使用が可能となり、使用まな板サイズの選択が出来る他、電動機器での設置、起立出来る装置の開発にも発展が見込まれ、使い易い近代的なシステムキッチンの推進に貢献出来る。
【図面の簡単な説明】
【図１】シンク空間へのまな板設置作業台設置例平面図を示す。
【図２】シンク空間へのまな板設置作業台設置例側面図を示す。
【図３】シンク空間へのまな板設置作業台設置例正面図を示す。
【図４】作業台転倒装置構造例平面図を示す。
【図５】作業台転倒装置例側面図を示す。
【図６】作業台転倒装置内部構造例側面図を示す。
【図７】作業台回転軸構造例図を示す。
【図８】スライド部及び作業台脚作動歯車作動形態例断面図を示す。
【図９】スライド部断面例図を示す。
【図１０】スライドアーチ構造例及び作動形態例図を示す。
【図１１】作業台脚作動歯車及び回転受歯車配置例図を示す。
【図１２】転倒速度抑止構造例及び作動形態例図を示す。
【図１３】作業台回転軸固定台構造例図を示す。
【図１４】転倒防止ツマミ構造例図を示す。
【図１５】作業台回転防止軸端部及び一体化ボルト設置構造例図を示す。
【図１６】転倒防止軸構造例断面図を示す。
【図１７】転倒防止例作動形態断面図を示す。
【図１８】回転力伝達装置例図を示す。
【図１９】回転力伝達装置断面図を示す。
【図２０】作業台脚出し入れ装置例概略図を示す。
【図２１】作業台下面例図を示す。
【図２２】作業台脚出し入れ装置例断面図を示す。
【図２３】作業台脚出し入れ装置例作動形態図を示す。
【図２４】作業台脚出し入れ装置側面透過構造例図を示す。
【図２５】作業台脚出し入れ装置例透過構造図を示す。
【図２６】まな板設置構造例図を示す。
【図２７】まな板固定材スライド装置例図を示す。
【図２８】まな板設置作業台起立時及び既設シンク設置設置形態例図を示す。
【符号の説明】１：流し台面
２：シンク
３：まな板
４：排水斜面
１０：作業台回転軸
１０Ａ：作業台回転軸
１０Ｂ：作業台回転防止軸
１１：作業台脚作動歯車
１２：スライド回転突起軸
１２Ａ：スライド回転突起軸
１３：スライド歯車軸
１４：スライド溝
１５：固定軸
１６：一体化ボルト
２０：作業台回転軸固定台Ａ
２１：作業台回転軸固定台Ｂ
２２：転倒制御作動軸孔
２３：転倒制御作動軸回転防止突起溝
２４：転倒防止突起溝
２４Ａ：転倒防止突起溝Ａ
２５：転倒溝
２５Ｂ：転倒溝Ａ
２６：転倒防止軸孔
２７Ａ：作業台中央固定台
２７Ｂ：作業台中央固定台
２８：回転用突起軸
２９：シンク水切り角度α
３０：転倒制御ツマミ
３１：転倒制御作動軸
３２：転倒制御作動軸回転防止突起
３３：転倒制御摩擦帯圧縮板
３４：転倒制御摩擦帯固定板
３４：転倒制御摩擦帯固定板
４０：転倒防止ツマミ
４１：転倒防止軸
４２：転倒防止突起
４３：転倒防止軸縮板
４４：バネ
５０：作業台スライド管
５１：スライドアーチ
５２：スライド回転ツマミ
５３：スライド回転ツマミ歯車
５４：スライド歯車
６１：回転力伝達装置
６２：軸受Ａ
６３：軸受Ｂ
６４：伝達回転軸
６５：回転受歯車
６６：作業台脚出しドラム
６７：作業台脚入りドラム
７０：作業台脚出し支持ローラー
７１：作業台脚入り支持ローラー
７２：作業台脚出しワイヤー
７３：作業台脚出しワイヤー
７４：回転軸受けＡ
７５：回転軸受けＢ
７６：ピンローラー軸受けＡ
７７：ピンローラー軸受けＢ
７８：緩衝バネ（弾性帯）Ａ
７９：緩衝バネ（弾性帯）Ｂ
８０：まな板設置作業台
８１：まな板設置作業台と作業台スライド管連結材
８２：まな板固定材
８３：まな板固定ピン
８３Ａ：まな板固定ピン溝
８３Ｂ：まな板固定孔
８４：まな板密着防止突起
８５：作業台脚出し入れ材
８６：作業台脚
８６Ａ：脚入れ防止材（弾性材）
８７：作業台脚緩衝材（弾力素材）
８８：まな板固定スライド材
８８Ａ：まな板固定スライド材
８８Ｂ：まな板固定支持金具
８８Ｃ：スライド材固定ネジ
８８Ｄ：スライド材固定ネジ孔
８９：スライド調節用歯車
９０：脚回転軸固定台
９１：脚回転軸
９２：作業台脚出し入れ回転軸
９３：脚出し入れガイドレール
９４：脚出し入れ移動軸
９５：脚出し入れ移動ローラー
９５：ワイヤー横向き滑車
９６：ワイヤー横向き滑車
９７：ワイヤー滑車
９８：作業台脚出しワイヤー滑車
９９：ワイヤー横向き滑車
１００：ワイヤー横向き滑車
１０１：ワイヤー滑車
【図１】
2012232081.tif 000003
【図２】
2012232081.tif 000004
【図３】
2012232081.tif 000005
【図４】
2012232081.tif 000006
【図５】
2012232081.tif 000007
【図６】
2012232081.tif 000008
【図７】
2012232081.tif 000009
【図８】
2012232081.tif 000010
【図９】
2012232081.tif 000011
【図１０】
2012232081.tif 000012
【図１１】
2012232081.tif 000013
【図１２】
2012232081.tif 000014
【図１３】
2012232081.tif 000015
【図１４】
2012232081.tif 000016
【図１５】
2012232081.tif 000017
【図１６】
2012232081.tif 000018
【図１７】
2012232081.tif 000019
【図１８】
2012232081.tif 000020
【図１９】
2012232081.tif 000021
【図２０】
2012232081.tif 000022
【図２１】
2012232081.tif 000023
【図２２】
2012232081.tif 000024
【図２３】
2012232081.tif 000025
【図２４】
2012232081.tif 000026
【図２５】
2012232081.tif 000027
【図２６】
2012232081.tif 000028
【図２７】
2012232081.tif 000029
【図２８】
2012232081.tif 000030